(57)【要約】【課題】より多数種類の陳列を可能とする陳列装置を提供することを目的とする。【解決手段】装置本体１１を、左支持板１２と右支持板１３と上段陳列ユニット１４と中段陳列ユニット１５と下段陳列ユニット１６とで構成する。各陳列ユニット１４〜１６は、陳列物２を立てた状態で収容する収容部２１を備え、各収容部２１は、上下方向２２及び左右方向２３に配列されている。前記各陳列ユニット１４〜１６では、上下方向２２に配置された各収容部２１を下段から上段へ向かうに従って後側にずれるように配置し、各収容部２１を上方開口状に形成する。後側に配置された収容部２１を、下側にずらして配置し、前側の収容部２１の裏側に後側の収容部２１の下側の一部を配置する。この装置本体１１は、横幅寸法が５７ｃｍ高さ寸法Ｈが１２３ｃｍに設定されている。【選択図】図１
0003136505.tif 000002
【実用新案登録請求の範囲】
【請求項１】
袋体に収容された陳列物を立てた状態で収容する収容部が上下方向及び左右方向に配列された装置本体を備えてなる陳列装置において、
前記装置本体の横幅寸法を、通常の陳列用什器より狭く設定するとともに、当該装置本体の高さ寸法を、通常の陳列用什器より低く設定したことを特徴とする陳列装置。
【請求項２】
前記装置本体を木製としたことを特徴とする請求項１記載の陳列装置。
【請求項３】
前記装置本体を、対向して配置された左支持板及び右支持板と、両支持板間に設けられ上下に配置された複数の陳列ユニットとで構成し、各陳列ユニットに前記各収容部を設定する一方、
各収容部を上方へ向けて開口した容器状に形成し、上下方向に配置された前記収容部を下段から上段へ向かうに従って後側へずらして配置するとともに、後側に配置された収容部の高さ位置を下方へずらして配置して、前側の収容部の裏側に後側の収容部の一部を設定したことを特徴とする請求項１又は２記載の陳列装置。
【請求項４】
前記陳列ユニットを、相対向する左側板及び右側板と、両側板間に設けられ左右方向に並設された前記各収容部を形成する複数の陳列棚部とで構成し、
各陳列棚部を、左右方向に延在する底面と、該底面の前縁に沿って起立した前面と、前記底面の後縁に沿って起立した後面と、前記底面に起立して前記前面及び前記後面間の空間を左右方向に分割して前記各収容部を形成する区画壁とで構成し、
後側に配置された前記陳列棚部の前記底面前端を、前側に配置された前記陳列棚部の前記後面の中途部に接続して、前側に配置された前記陳列棚部の前記後面で、後側に配置された前記陳列棚部の前記前面を構成したことを特徴とする請求項３記載の陳列装置。
【請求項５】
前記支持板間に設けられた複数の前記陳列ユニットにおいて、
下側の陳列ユニットに収容された前記陳列物の前側面が、上側の陳列ユニットに収容された前記陳列物の前側面より後側へ傾斜するように前記両支持板への前記各陳列ユニットの固定角度を設定したことを特徴とする請求項３又は４記載の陳列装置。
【請求項６】
前記両支持板の下縁部を矩形枠状に形成された枠体を介して連結するとともに、前記両支持板の上縁部を架橋部材を介して連結したことを特徴とする請求項３、４又は５記載の陳列装置。
【請求項７】
前記装置本体を移動する為のキャスターを前記枠体に設けたことを特徴とする請求項６記載の陳列装置。
【考案の詳細な説明】
【技術分野】
【０００１】
本考案は、例えば種などを収容した袋体を陳列する陳列装置に関する。
【背景技術】
【０００２】
従来、種や球根などを販売する際には、表面に種類などが印刷された長方形の袋体に収容するとともに、これらの袋体を、金属製の陳列用什器に配置して販売していた。
【０００３】
この陳列用什器は、陳列物を収容する為の収容部が左右方向及び上下方向に配列されており、多数の収容部が設けられている。
【０００４】
これにより、多数の陳列物を陳列できるように構成されている。
【考案の開示】
【考案が解決しようとする課題】
【０００５】
しかしながら、このような陳列用什器にあっては、小さなものでも横幅が９０ｃｍ、高さ寸法が１５０ｃｍあり、これより狭い場所に設置することができないという問題があった。
【０００６】
本考案は、このような従来の課題に鑑みてなされたものであり、狭い場所であっても陳列物の陳列を可能とする陳列装置を提供することを目的とするものである。
【課題を解決するための手段】
【０００７】
前記課題を解決するために本考案の請求項１記載の陳列装置にあっては、袋体に収容された陳列物を立てた状態で収容する収容部が上下方向及び左右方向に配列された装置本体を備えてなる陳列装置において、前記装置本体の横幅寸法を、通常の陳列用什器より狭く設定するとともに、当該装置本体の高さ寸法を、通常の陳列用什器より低く設定した。
【０００８】
なお、前記装置本体は、陳列物を立てた状態で収容する収容部が上下方向及び左右方向に配列されるように構成されていることから、前記横幅寸法及び前記高さ寸法は、前記陳列物の大きさによって自ずと定められる値である。
【０００９】
また、通常の陳列用什器は、従来例で示したように、小さな物でも横幅寸法が９０ｃｍ、高さ寸法が１５０ｃｍあり、これらより横幅寸法は狭く、高さ寸法は低く設定されているものとする。
【００１０】
すなわち、陳列物を収容する収容部が設けられられた装置本体は、その横幅寸法が通常の陳列用什器より狭く設定されており、その高さ寸法は、通常の陳列用什器より低く設定されている。
【００１１】
このため、通常の陳列用什器を設置できない場所であっても、当該装置本体を設置することができる。これにより、当該装置本体の収容部に収容された陳列物を店頭などに陳列することができる。
【００１２】
一方、広い場所にあっては、当該陳列装置を複数並設することによって、より多くの陳列物を陳列することができる。
【００１３】
そして、請求項２の陳列装置では、前記装置本体を木製とした。
【００１４】
すなわち、この装置本体は、木製であるため、金属製の什器と比較して、外観品質を高めることができる。
【００１５】
また、請求項３記載の陳列装置においては、前記装置本体を、対向して配置された左支持板及び右支持板と、両支持板間に設けられ上下に配置された複数の陳列ユニットとで構成し、各陳列ユニットに前記各収容部を設定する一方、各収容部を上方へ向けて開口した容器状に形成し、上下方向に配置された前記収容部を下段から上段へ向かうに従って後側へずらして配置するとともに、後側に配置された収容部の高さ位置を下方へずらして配置して、前側の収容部の裏側に後側の収容部の一部を設定した。
【００１６】
すなわち、装置本体は、対向して設けられた左支持板及び右支持板と、両支持板間に設けられた複数の陳列ユニットとで構成されており、各陳列ユニットにおいて、上下方向に配置された前記収容部は、下段から上段へ向かうに従って後側へずらして配置されるとともに、後側に配置された収容部を下側へずらして配置することで、前側の収容部の裏側に後側の収容部の一部が設定されている。
【００１７】
このため、前記陳列ユニットの収容部の数を減らすこと無く、高さ寸法が抑えられる。
【００１８】
そして、この高さ寸法が抑えられた前記陳列ユニットは、前記両支持板間において、上下に配設される。
【００１９】
さらに、請求項４の陳列装置では、前記陳列ユニットを、相対向する左側板及び右側板と、両側板間に設けられ左右方向に並設された前記各収容部を形成する複数の陳列棚部とで構成し、各陳列棚部を、左右方向に延在する底面と、該底面の前縁に沿って起立した前面と、前記底面の後縁に沿って起立した後面と、前記底面に起立して前記前面及び前記後面間の空間を左右方向に分割して前記各収容部を形成する区画壁とで構成し、後側に配置された前記陳列棚部の前記底面前端を、前側に配置された前記陳列棚部の前記後面の中途部に接続して、前側に配置された前記陳列棚部の前記後面で、後側に配置された前記陳列棚部の前記前面を構成した。
【００２０】
すなわち、前記陳列ユニットは、相対向する左側板及び右側板と、両側板間に設けられた複数の陳列棚部とで構成されている。そして、各陳列棚部は、左右方向に延在する底面と、該底面の前縁に沿って起立した前面と、前記底面の後縁に沿って起立した後面と、前記底面に起立した区画壁とで構成されており、前側に配置された前記陳列棚部の前記後面によって、後側に配置された前記陳列棚部の前記前面が構成されている。
【００２１】
このため、各陳列棚部に、前面と後面とをそれぞれ設ける場合と比較して、部材コストが抑えられる。
【００２２】
加えて、請求項５の陳列装置にあっては、前記支持板間に設けられた複数の前記陳列ユニットにおいて、下側の陳列ユニットに収容された前記陳列物の前側面が、上側の陳列ユニットに収容された前記陳列物の前側面より後側へ傾斜するように前記両支持板への前記各陳列ユニットの固定角度を設定した。
【００２３】
これにより、下側の陳列ユニットに収容された前記陳列物ほど、その前側面が後側へ傾斜することによって上向きとなる。
【００２４】
また、請求項６の陳列装置においては、前記両支持板の下縁部を矩形枠状に形成された枠体を介して連結するとともに、前記両支持板の上縁部を架橋部材を介して連結した。
【００２５】
すなわち、前記両支持板は、その下縁部が閉断面形状の枠体によって連結されるとともに、その上縁部は、架橋部材によって連結される。
【００２６】
これにより、前記両支持板を、前記各陳列ユニットのみで連結する場合と比較して、当該装置本体の剛性が高められる。
【００２７】
さらに、請求項７の陳列装置では、前記装置本体を移動する為のキャスターを前記枠体に設けた。
【００２８】
すなわち、前記両支持板の下縁部を連結する閉断面形状の前記枠体に、前記キャスターが設けられている。
【００２９】
これにより、このキャスターを利用して当該装置本体が移動される。
【考案の効果】
【００３０】
以上説明したように、本考案の請求項１記載の陳列装置にあっては、通常の陳列用什器を設置できない場所であっても、当該装置本体を設置することができる。
【００３１】
したがって、このような狭い場所であっても、当該装置本体の収容部に収容された陳列物を店頭などに陳列することができる。
【００３２】
一方、広い場所にあっては、当該陳列装置を複数並設することによって、より多くの陳列物を陳列することができる。
【００３３】
そして、請求項２記載の陳列装置では、前記装置本体が木製であるため、金属製の什器と比較して、外観品質を高めることができる。
【００３４】
これにより、金属製の什器に陳列する場合と比較して、見栄えが良くなり、外観品質を高めることができる。
【００３５】
また、請求項３記載の陳列装置においては、高さ寸法が抑えられた陳列ユニットを両支持板間において上下に配設することで、装置本体の全体としての大きさを抑えつつ、より多くの種類の陳列物を陳列することができる。
【００３６】
これにより、陳列場所の省スペース化を図ることができる。
【００３７】
このとき、全体として高さ寸法を抑えることができるため、陳列物の見易さや、取り易さの向上も図ることができる。
【００３８】
さらに、請求項４の陳列装置では、前記陳列ユニットの各陳列棚部において、前側に配置された陳列棚部の後面によって、後側に配置された陳列棚部の前面を構成することができる。これにより、前側に配置された陳列棚部の後面を有効利用することができる。
【００３９】
したがって、各陳列棚部に、前面と後面とをそれぞれ設ける場合と比較して、部材コストを抑えることができ、低コスト化を図ることができる。
【００４０】
加えて、請求項５の陳列装置では、下側に配置された陳列ユニットの陳列物ほど、その前側面を後側へ傾斜することによって、上向きに配置することができる。
【００４１】
これにより、上段から下段の陳列ユニットに収容された陳列物の総てが垂直に起立する場合と比較して、斜め上方からの目線で見られる下段側の陳列ユニットの陳列物における視認性を向上することができる。
【００４２】
また、請求項６の陳列装置にあっては、装置本体を構成する両支持板の下縁部を、閉断面形状の枠体によって連結するとともに、その上縁部を架橋部材で連結することができる。
【００４３】
これにより、前記両支持板を、前記各陳列ユニットのみで連結する場合と比較して、当該装置本体の剛性を高められることができる。
【００４４】
さらに、請求項７の陳列装置においては、前記両支持板の下縁部を連結する閉断面形状の前記枠体に設けられたキャスターを利用して当該装置本体を移動することができる。これにより、陳列物が陳列された状態での移動を容易とすることができる。
【００４５】
このとき、前記装置本体は、前記両支持板を連結する前記枠体及び前記架橋部材によって補強されている。これにより、移動に起因した装置本体の変形を防止することができる。また、前記架橋部材を握持して移動することもできる。
【考案を実施するための最良の形態】
【００４６】
以下、本考案の一実施の形態を図に従って説明する。図１及び図２は、本実施の形態にかかる木製の陳列装置１を示す図であり、図１には斜視図が、図２には正面図が示されている。
【００４７】
この陳列装置１は、野菜や花などの種や球根を販売する際に店頭などで用いられるものであり、種や球根等の陳列物２は、その種類や写真などが前側面３に印刷された長方形の袋体４に収容された状態で立てて陳列されるように構成されている。
【００４８】
前記陳列装置１の装置本体１１は、相対向して起立された木製の左支持板１２と木製の右支持板１３とを備えており、両支持板１２，１３は、三角形状の板材によって形成されている。また、前記装置本体１１は、木製の上段陳列ユニット１４と、木製の中段陳列ユニット１５と、木製の下段陳列ユニット１６とを備えており、各陳列ユニット１４〜１６は、上下に配置された状態で前記両支持板１２，１３間に挟持され固定されている。
【００４９】
前記各陳列ユニット１４〜１６には、前記陳列物２を立てた状態で収容する複数の収容部２１，・・・が設けられており、各収容部２１，・・・は、上下方向２２及び左右方向２３に配列されている。各収容部２１，・・・は、上方へ向けて開口した容器状に形成されており、前記各陳列ユニット１４〜１６では、上下方向２２に配置された前記各収容部２１，・・・が下段から上段へ向かうに従って後側へずれるように配置されている。そして、後側に配置された収容部２１，・・・の高さ位置は、前側に配置された収容部２１，・・・上縁より下方へずらして配置されており、前側の収容部２１，・・・の裏側に、後側の収容部２１，・・・の下側の一部が配置されるように構成されている。
【００５０】
具体的に説明すると、前記各陳列ユニット１４〜１６は、相対向する木製の左側板３１及び木製の右側板３２と、両側板３１，３２間に設けられた左右方向に延在する複数の陳列棚部３３，・・・とで構成されており、各陳列棚部３３，・・・によって左右方向２３に並設された前記収容部２１，・・・が形成されている。前記各陳列棚部３３，・・・は、下方から上方へ向かうに従って前方から後方へずらして設けられており、各陳列棚部３３，・・・は、階段状に形成されている。
【００５１】
前記各陳列棚部３３，・・・は、前記両側板３１，３２間に支持された左右方向に延在する木製の底面４１と、該底面４１の前縁に沿って起立した前面４２と、前記底面４１の後縁に沿って起立した木製の後面４３と、前記底面４１に起立して前記前面４２及び前記後面４３間の空間を左右方向２３に分割して前記各収容部２１，・・・を形成する木製の区画壁４４，・・・とで構成で構成されている。これにより、各陳列棚部３３，・・・には、前記両側板３１，３２と前記各区画壁４４，・・・間に上方開口状の前記収容部２１，・・・が形成されている。
【００５２】
そして、後側に配置された前記陳列棚部３３の前記底面４１の前端は、前側に配置された前記陳列棚部３３の前記後面４３上端より下方に位置する後面４３の中途部に接続されており、当該後面４３の高さ寸法は、前記前面４２の高さ寸法より高く設定されている。これにより、前側に配置された前記陳列棚部３３の前記後面４３の上側部分は、後側に配置された前記陳列棚部３３の前記前面４２を構成している。
【００５３】
ここで、前記下段陳列ユニット１６では、前記前面４２が透明のアクリル板で構成されており、前記収容部２１，・・・に収容された陳列物２前側面３の印刷が見えるように構成されている。
【００５４】
なお、この前面４２も、木製の板材で形成すると良い。
【００５５】
また、前記下段陳列ユニット１６及び前記中段陳列ユニット１５においては、前記陳列棚部３３，・・・が三段設けられており、同形状のユニットを用いた低コスト化が図られている。また、前記上段陳列ユニット１４では、前記陳列棚部３３，・・・が四段設けられており、より多数種類の陳列物２，・・・を陳列できるように構成されている。
【００５６】
前記装置本体１１の前記両支持板１２，１３間に設けられた前記上段陳列ユニット１４は、図３に示すように、その底面４１が垂線に対して上段固定角度５１となるように設定されており、その上段固定角度５１は、略９０度となるように設定されている。また、前記中段陳列ユニット１５は、その底面４１が垂線に対して前記上段固定角度５１より大きな中段固定角度５２となるように設定されており、前記下段陳列ユニット１６は、その底面４１が垂線に対して前記中段固定角度５２より大きな下段固定角度５３となるように設定されている。
【００５７】
これにより、前記上段陳列ユニット１４の各収容部２１，・・・に収容された陳列物２，・・・は、その前側面３，・・・を垂直に維持する一方、前記中段陳列ユニット１５の各収容部２１，・・・に収容された陳列物２，・・・は、後側に傾斜することによって、その前側面３，・・・が斜め上方を向くように構成されている。また、前記下段陳列ユニット１６の各収容部２１，・・・に収容された陳列物２，・・・は、前記中段陳列ユニット１５に収容された陳列物２，・・・よりさらに後側へ傾斜することによって、その前側面３，・・・がさらに傾斜して斜め上方を向くように構成されている。
【００５８】
そして、前記装置本体１１の前記両支持板１２，１３の下縁部には、図４に示したように、木製の角材が矩形枠状に組まれて形成された枠体６１の両側縁が固定されており、前記両支持板１２，１３は、この枠体６１を介して連結されている。また、前記両支持板１２，１３の上縁部には、図１に示したように、木製の角材からなる架橋部材６２が架橋しており、前記両支持板１２，１３は、その上縁部が前記架橋部材６２を介して連結されている。これにより、前記装置本体１１は、前記各陳列ユニット１４〜１６のみならず、前記枠体６１及び前記架橋部材６２によって連結され剛性が高められている。
【００５９】
前記装置本体１１は、図３及び図４に示したように、当該装置本体１１を移動する為のキャスター７１，・・・を備えており、このキャスター７１，・・・は、図４に示したように、前記枠体６１の四隅に設けられている。
【００６０】
このように形成された装置本体１１は、図２に示したように、前記左支持板１２から前記右支持板１３までの横幅寸法Ｗが、９０ｃｍ幅の通常の陳列用什器より狭い５７ｃｍに設定されており、図３に示したように、前記キャスター７１，・・・から前記両支持板１２，１３の上縁までの高さ寸法Ｈは、１５０ｃｍ高の通常の陳列用什器より低い１２３ｃｍに設定されている。
【００６１】
なお、この装置本体１１で陳列される陳列物２の袋体４は、横幅が約９５ｍｍで高さが約１５０ｍｍに設定されており、前記装置本体１１は、前記陳列物２を上下方向２２及び左右方向２３に陳列することから、その横幅寸法Ｗの下限値は、１９０ｍｍ以上であって、その高さ寸法Ｈの下限値は、１５０ｍｍ以上であることが自ずと定まる。
【００６２】
つまり、横幅が約９５ｍｍで高さが約１５０ｍｍの陳列物２を陳列する本実施の形態の装置本体１１にあっては、その横幅寸法Ｗを１９ｃｍ以上９０ｃｍ以下の範囲内に設定するとともに、その高さ寸法Ｈを１５ｃｍ以上１５０ｃｍ以下の範囲内に設定するものとする。
【００６３】
なお、本願考案の装置本体の横幅寸法の下限値は、陳列する陳列物の横幅の二倍以上であり、その高さ寸法の下限値は、陳列する陳列物の高さ以上であることが自ずと定まる。
【００６４】
以上の構成にかかる本実施の形態において、前記陳列物２を収容する収容部２１，・・・が設けられられた装置本体１１は、その横幅寸法Ｗが、９０ｃｍ幅の通常の陳列用什器より狭い５７ｃｍに設定されており、その高さ寸法Ｈは、１５０ｃｍ高の通常の陳列用什器より低い１２３ｃｍに設定されている。このため、通常の陳列用什器を設置できない場所であっても、当該装置本体１１を設置することができる。
【００６５】
したがって、このような狭い場所であっても、当該装置本体１１の収容部２１，・・・に収容された陳列物２，・・・を店頭などに陳列することができる。
【００６６】
一方、広い場所にあっては、当該陳列装置１１を複数並設することによって、より多くの陳列物２，・・・を陳列することができる。
【００６７】
そして、この装置本体１１は、木製であるため、金属製の什器と比較して、外観品質を高めることができる。
【００６８】
これにより、金属製の什器に陳列する場合と比較して、見栄えが良くなり、外観品質を高めることができる。
【００６９】
また、前記装置本体１１は、対向して設けられた左支持板１２及び右支持板１３と、両支持板１２，１３間に設けられた複数の陳列ユニット１４〜１６とで構成されており、各陳列ユニット１４〜１６において、上下方向に配置された前記収容部２１，・・・は、下段から上段へ向かうに従って後側へずらして配置されるとともに、後側に配置された収容部２１，・・・を下側へずらして配置することで、前側の収容部２１，・・・の裏側に後側の収容部２１，・・・の下側の一部が配置されている。
【００７０】
このため、前記各陳列ユニット１４〜１６での収容部２１，・・・の数を減らすこと無く、各陳列ユニット１４〜１６の高さ寸法を抑えることができる。また、この高さ寸法が抑えられた前記各陳列ユニット１４〜１６は、前記両支持板１２，１３間において、上下に配設されている。
【００７１】
このように、高さ寸法が抑えられた前記各陳列ユニット１４〜１６を前記両支持板１２，１３間において上下に配設することで、装置本体１１を大きくすること無く、より多くの種類の陳列物２，・・・を陳列することができる。
【００７２】
これにより、陳列場所の省スペース化を図ることができる。
【００７３】
このとき、全体として高さ寸法を抑えることができるため、各陳列物２，・・・の見易さや、取り易さの向上も図ることができる。
【００７４】
また、前記各陳列ユニット１４〜１６は、相対向する左側板３１及び右側板３２と、両側板３１，３２間に設けられた複数の陳列棚部３３，・・・とで構成されている。そして、各陳列棚部３３，・・・は、左右方向に延在する底面４１と、該底面４１の前縁に沿って起立した前面４２と、前記底面４１の後縁に沿って起立した後面４３と、前記底面４１に起立した区画壁４４，・・・とで構成されており、前側に配置された前記陳列棚部３３の前記後面４３によって、後側に配置された前記陳列棚部３３の前記前面４２が構成されている。
【００７５】
このように、前側に配置された陳列棚部３３の後面４３を有効利用することによって、各陳列棚部３３，・・・に、前記前面４２と前記後面４３とをそれぞれ設ける場合と比較して、部材コストを抑えることができ、低コスト化を図ることができる。
【００７６】
そして、前記陳列装置１では、下側に配置された陳列ユニットの陳列物２，・・・ほど、その前側面３，・・・を後側へ傾斜することによって、上向きに配置することができる。
【００７７】
これにより、上段から下段の陳列ユニット１４〜１６に収容された陳列物２，・・・の総てが垂直に起立する場合と比較して、斜め上方からの目線で見られる下段側の陳列ユニット１５，１６の陳列物２，・・・における視認性を向上することができる。
【００７８】
また、前記装置本体１１の前記両支持板１２，１３は、その下縁部が閉断面形状の枠体６１によって連結されるとともに、その上縁部は、架橋部材６２によって連結されている。
【００７９】
これにより、前記両支持板１２，１３を、前記各陳列ユニット１４〜１６のみで連結する場合と比較して、当該装置本体１１の剛性を高められることができる。
【００８０】
さらに、前記両支持板１２，１３の下縁部を連結する閉断面形状の前記枠体６１に設けられたキャスター７１，・・・を利用することで、当該装置本体１１を移動することができる。これにより、陳列物２，・・・が陳列された状態での移動を容易とすることができる。
【００８１】
このとき、前記装置本体１１は、前記両支持板１２，１３を連結する前記枠体６１及び前記架橋部材６２によって補強されている。これにより、移動に起因した装置本体１１の不用意な変形を防止することができる。
【００８２】
また、前記架橋部材６２を握持して移動することもでき、利便性が向上する。
【図面の簡単な説明】
【００８３】
【図１】本考案の一実施の形態を示す斜視図である。
【図２】同実施の形態を示す正面図である。
【図３】同実施の形態を示す側面図である。
【図４】同実施の形態を示す底面図である。
【符号の説明】
【００８４】
１    陳列装置
２    陳列物
３    前側面
４    袋体
１１    装置本体
１２    左支持板
１３    右支持板
１４    上段陳列ユニット
１５    中段陳列ユニット
１６    下段陳列ユニット
２１    収容部
２２    上下方向
２３    左右方向
３１    左側面
３２    右側面
３３    陳列棚部
４１    底面
４２    前面
４３    後面
４４    区画壁
５１    上段固定角度
５２    中段固定角度
５３    下段固定角度
６１    枠体
６２    架橋部材
７１    キャスター
Ｈ    高さ寸法
Ｗ    幅寸法
【図１】
0003136505.tif 000003
【図２】
0003136505.tif 000004
【図３】
0003136505.tif 000005
【図４】
0003136505.tif 000006
【手続補正書】
【提出日】平成19年8月24日(2007.8.24)
【手続補正１】
【補正対象書類名】実用新案登録請求の範囲
【補正対象項目名】請求項１
【補正方法】変更
【補正の内容】
【請求項１】
袋体に収容された陳列物を立てた状態で収容する収容部が上下方向及び左右方向に配列された装置本体を備えてなる陳列装置において、
前記装置本体の横幅寸法を、９０ｃｍより狭く設定するとともに、当該装置本体の高さ寸法を、１５０ｃｍより低く設定したことを特徴とする陳列装置。
【手続補正２】
【補正対象書類名】明細書
【補正対象項目名】０００７
【補正方法】変更
【補正の内容】
【０００７】
前記課題を解決するために本考案の請求項１記載の陳列装置にあっては、袋体に収容された陳列物を立てた状態で収容する収容部が上下方向及び左右方向に配列された装置本体を備えてなる陳列装置において、前記装置本体の横幅寸法を、９０ｃｍより狭く設定するとともに、当該装置本体の高さ寸法を、１５０ｃｍより低く設定した。
【手続補正３】
【補正対象書類名】明細書
【補正対象項目名】０００９
【補正方法】変更
【補正の内容】
【０００９】
また、通常の陳列用什器は、従来例で示したように、小さな物でも横幅寸法が９０ｃｍ、高さ寸法が１５０ｃｍあり、これらより前記横幅寸法は狭く、前記高さ寸法は低く設定されている。